(57)【要約】      （修正有）【課題】共通する形状的な特徴を有する複数の部材を簡易に組み立て完成させることができる係止具を提供する。【解決手段】それぞれ組立部材Ｐからなる脚部と係止部とを備える係止具Ｈであって、少なくとも２つの組立部材に対して少なくとも１つの組立部材が架け渡されてなる脚部は、少なくとも２つの組立部材にそれぞれ形成された天面側に位置する第１の切欠き部と、少なくとも１つの組立部材に形成された底面側に位置する第２の切欠き部とを嵌合して形成され、さらなる少なくとも１つの組立部材からなる係止部は、さらなる少なくとも１つの組立部材に形成された底面側に位置する第３の切欠き部と、架け渡された少なくとも１つの組立部材の天面側に位置する第１の切欠き部とを嵌合して形成される。【選択図】図２
2014180376.tif 000002
【特許請求の範囲】
【請求項１】
それぞれ組立部材からなる脚部と係止部とを備える係止具であって、
前記組立部材は、平面視における上下方向の一方側に少なくとも１箇所の第１の切欠き部が形成され、前記上下方向の他方側に少なくとも２箇所の第２の切欠き部が形成され、平面視における左右方向の少なくとも一方側に少なくとも１箇所の第３の切欠き部が形成され、
少なくとも２つの前記組立部材に対して少なくとも１つの前記組立部材が架け渡されてなる前記脚部は、前記少なくとも２つの前記組立部材にそれぞれ形成された天面側に位置する前記第１の切欠き部と、前記少なくとも１つの前記組立部材に形成された底面側に位置する前記第２の切欠き部とを嵌合して形成され、
さらなる少なくとも１つの前記組立部材からなる前記係止部は、前記さらなる少なくとも１つの前記組立部材に形成された底面側に位置する前記第３の切欠き部と、前記架け渡された少なくとも１つの組立部材の天面側に位置する前記第１の切欠き部とを嵌合して形成され、
前記係止部に被係止体を係止させることを特徴とする係止具。
【請求項２】
前記組立部材はすべて略同一形状であることを特徴とする請求項１記載の係止具。
【請求項３】
前記第３の切欠き部が形成された前記左右方側のいずれかと対向する他方側に少なくとも１箇所の第４の切欠き部が形成され、
前記係止部は、順に追加される少なくとも１つの前記組立部材に形成された底面側に位置する前記第３の切欠き部と、すでに前記係止部をなす最も天面側の前記組立部材に形成された天面側に位置する前記第４の切欠き部とを嵌合して積み重ねて形成可能であることを特徴とする請求項１又は２記載の係止具。
【請求項４】
前記係止部をなす前記組立部材に形成された前記切欠き部に、係止部材を嵌挿して前記被係止体を係止させることを特徴とする請求項１から３のいずれか１項に記載の係止具。
【請求項５】
前記組立部材に形成された前記切欠き部の最奥部は略円形に形成されることを特徴とする請求項４記載の係止具。
【発明の詳細な説明】
【技術分野】
【０００１】
本発明は、帽子などを係止してハンガーのように用いることができる係止具に関する。
【背景技術】
【０００２】
従来、コートハンガーなどと呼ばれる、コートなどの衣類及び帽子・マフラーなどの身の回り品を係止して用いることができる主として室内用の物品が知られている。その基本的な構成は、脚部から上方に延びる一本の軸に数本の係止棒が木の枝状に配置される。
【０００３】
また、関連技術として、不使用時には自動的に収束状態となるとともに、使用時には自動的に拡開状態となるようにした、コートハンガー用ポールを備えるコートハンガースタンドを提供する技術が開示されている（特許文献１参照）。
【０００４】
なお、ここで、本発明と対比される関連技術にも言及しておく。この関連技術は、あらゆる方向に組み立て可能な立体積み木を提供するものである（特許文献２参照）。その構成は、複数の基礎部材及び少なくとも一の回転をして連結する止め部材からなり、偏平形状の部材はその一面に複数の凸柱を設け、その凸柱に対向する背面の位置には凹部を設ける。さらに部材の周辺の各辺の中央に放射方向を外部に向けるはめ込みみぞを設ける。回転する止め部材は基礎部材と同様に凸柱と同様に凹部を設ける。部材と部材間は面と面によって互いに結合し、また縁辺の交叉によって互いにはめ込み合い、部材のはめ込みみぞもまた回転して連結する止め部材と対向する回転軸両辺の回転部材にはめ込んで、回転軸を中心として回転する。回転部材のみぞは部材の凸柱にはめ込み、或いは部材の凸柱を回転部材のみぞにはめ込んで、回転軸を中心に回転して、全ての方向に組合わせ可能な立体積み木となる。
【先行技術文献】
【特許文献】
【０００５】
【特許文献１】実開平６−４８４７８号公報
【特許文献２】特開平９−１８７５８０号公報
【発明の概要】
【発明が解決しようとする課題】
【０００６】
しかしながら、特許文献１に開示されているコートハンガースタンドは、共通する形状的な特徴を有する複数の部材を組み合わせてコートハンガーを組み立てるものではない。
また、特許文献２に開示されている技術では、部材の形状・構造が複雑であり、部材の製作工程が煩雑となり製造コストが増加する。仮に複数の部材を組み合わせてハンガーとして用いることができる係止具の形状を組み立てるにしても部材の点数が多くなってしまい組み立て作業が簡易に行えない。
【０００７】
本発明の目的は、共通する形状的な特徴を有する複数の部材を簡易に組み立て完成させることができる係止具を提供することにある。
【課題を解決するための手段】
【０００８】
本発明の係止具は、それぞれ組立部材からなる脚部と係止部とを備える係止具であって、
前記組立部材は、平面視における上下方向の一方側に少なくとも１箇所の第１の切欠き部が形成され、前記上下方向の他方側に少なくとも２箇所の第２の切欠き部が形成され、平面視における左右方向の少なくとも一方側に少なくとも１箇所の第３の切欠き部が形成され、
少なくとも２つの前記組立部材に対して少なくとも１つの前記組立部材が架け渡されてなる前記脚部は、前記少なくとも２つの前記組立部材にそれぞれ形成された天面側に位置する前記第１の切欠き部と、前記少なくとも１つの前記組立部材に形成された底面側に位置する前記第２の切欠き部とを嵌合して形成され、
さらなる少なくとも１つの前記組立部材からなる前記係止部は、前記さらなる少なくとも１つの前記組立部材に形成された底面側に位置する前記第３の切欠き部と、前記架け渡された少なくとも１つの組立部材の天面側に位置する前記第１の切欠き部とを嵌合して形成され、
前記係止部に被係止体を係止させることを特徴とする。
このように構成することにより、組立部材は、例えば、平面視において略長方形とすると上辺に１箇所、下辺に２箇所、左右の両辺（いずれか）に１箇所の切欠き部のみが形成されているという、形状的な特徴を有することとなる。したがって、部材の形状・構造がいたずらに複雑化することがないので部材の製作工程が煩雑となり製造コストが増加することも回避できる。このような組立部材を例えば４つ用いることにより、少ない部材点数で、コートや帽子などを係止部の頂部に引っ掛けたり、載せたりしておくことが可能な係止具を完成することができる。脚部は組立部材を少なくとも３つ用いて、１つは直交させていることにより、安定した構造となりコートや帽子などが多数・重い場合であっても容易に倒れることがない。しかも組み立て作業は切欠き部同士を嵌合させることのみにより誰でも簡易に行うことができる。さらに、組み立て前はバラバラの部材をコンパクトにまとめておくことができるので輸送や保管の便宜が図られ、かつ組み立て完成後も接着剤等で固定していない限り容易に解体可能であるので修理・廃棄の際にも便利である。外観上もスタイリッシュなデザイン性の高い係止具を実現できる。
【０００９】
また、本発明の係止具は、前記組立部材はすべて略同一形状であってもよい。
このように構成することにより、形状的な特徴がより一層均質化され、まとめてコンパクトに取扱うことができたり、各部材の位置関係を意識することなく、簡易に組み立てることができる。また、部材に不具合が生じた場合の取り換えも容易である。さらに、積み木やブロックのように組み立て作業に面白みを持たせることもできる。
【００１０】
また、本発明の係止具は、前記第３の切欠き部が形成された前記左右方側のいずれかと対向する他方側に少なくとも１箇所の第４の切欠き部が形成され、
前記係止部は、順に追加される少なくとも１つの前記組立部材に形成された底面側に位置する前記第３の切欠き部と、すでに前記係止部をなす最も天面側の前記組立部材に形成された天面側に位置する前記第４の切欠き部とを嵌合して積み重ねて形成可能であってもよい。
このように構成することにより、組立部材は、例えば、平面視において略長方形とすると上辺に１箇所、下辺に２箇所、左右の両辺に１箇所の切欠き部のみが形成されているという、形状的な特徴を有することとなる。したがって、組立部材の左右の両辺の切欠き部を上下方向となるような向きで嵌合させて、順番に上方に次々と組立部材を積み重ねていくことができる。これにより、使用空間・環境に応じた任意の高さの係止部を組立部材のみで実現することができ、利用者の便宜が図られる。
【００１１】
また、本発明の係止具は、前記係止部をなす前記組立部材に形成された前記切欠き部に、係止部材を嵌挿して前記被係止体を係止させることであってもよい。
このように構成することにより、例えば細木片の係止部材を任意の位置の切欠き部に嵌挿して、係止具の載置面と平行な係止片を実現し、コートなどの被係止体を容易に引っ掛けて係止させることができる。係止部材は、その位置・数を調整可能で利用態様に応じた形態とすることができる。
また、本発明の係止具は、前記組立部材に形成された前記切欠き部の最奥部は略円形に形成されることであってもよい。
このように構成することにより、切欠き部同士をさらに安定的・固定的に嵌合させることができる。また、例えば、切欠き部の最奥部が手前側の部分（例えば略コ字状）の幅よりも大きい径の略円形に形成されている場合、その径よりも一回り小さい径の丸棒状の係止部材を嵌挿することで、切欠き部より容易に抜け外れることのない構造とすることができる。
【発明の効果】
【００１２】
本発明によれば、共通する形状的な特徴を有する複数の部材を簡易に組み立て完成させることが可能な係止具を提供することができる。
【図面の簡単な説明】
【００１３】
【図１】本発明の実施の形態における係止具の組立部材を示す図である。
【図２】本発明の実施の形態における係止具の組立て完成状態の一例を示す図である。
【図３】本発明の実施の形態における係止具の組立て完成状態の他例を示す図である。
【図４】本発明の実施の形態における係止具の組立て完成状態の他例を示す図である。
【発明を実施するための形態】
【００１４】
以下、本発明の実施の形態を図面を参照しつつ説明する。
本実施の形態の係止具Ｈは、同一形状の複数の組立部材Ｐを組み立てて完成させるものである。なお、以下では係止具Ｈが配置される地面や床などの面を総称して「載置面」ということがある。
【００１５】
図１に示すように、本実施の形態の係止具Ｈを構成する組立部材Ｐは、所定の厚み寸法を有する平面視において略長方形（矩形）の木製の板状体の４隅の角部が安全・デザイン性等の観点からＲ処理されたものとして形成されている。なお、材質は用途や設置場所とのコーディネイト等を考慮して金属、樹脂又は木材等の種々のものが適用可能であるし、これらを組み合わせて使用することであってもよい。また、組立部材Ｐはここでは木目があらわれるように何も着色等は施されていないが、表面全体を着色することによっても組み合わせの多様化を図ることができる。それぞれ異なる色で着色したり、プリント・印刷が施されたり、一部を透明な材料で構成してもよい。
組立部材Ｐは、ＮＣ（Numerical Control：数値制御）加工などにより、木材から切り出すことでも、所定の金型等から形成されることでも、その他公知の手法により一体的に又は複数の部材が接合されて形成されてよい。
【００１６】
ここでは、組立部材Ｐの所定の厚み寸法は約１．７ｃｍである。また、図１（ｂ）に示す組立部材Ｐの平面図において、長手方向の長さ寸法は約６２ｃｍ、短手方向の長さ寸法は約１６ｃｍである。
【００１７】
さらに、図１に示すように組立部材Ｐの各辺には切欠き部が設けられている。
具体的には、図１において、略長方形の上辺の略１／２の位置（略中央位置）に１箇所、切欠き部１１が設けられている。また、下辺の両端から略１／４の位置にそれぞれ２箇所、切欠き部１２及び切欠き部１３が設けられている。また、右辺に１箇所、切欠き部１４が設けられている。また、左辺に１箇所、切欠き部１５が設けられている。各切欠き部の幅寸法は、組立部材Ｐの所定の厚み寸法の１．７ｃｍよりわずかに大きい寸法（例えば１．８ｃｍ）の幅であり、組立部材Ｐの厚み幅の全幅に亘って、コ字状の溝部となるように形成され、またその溝部の最奥部は略円形に形成される。その略円形の径は、１．７ｃｍよりわずかに大きい寸法（例えば１．８ｃｍ）よりも大きく、例えば３ｃｍである。また、切欠き部１１、切欠き部１２及び切欠き部１３は、組立部材Ｐの平面図における短手方向の長さ寸法の１６ｃｍの約半分に相当する深さ約９．５ｃｍの溝部であり、溝部の最奥部をなす略円形１１ａ、１２ａ、１３ａの中心は組立部材Ｐの平面図における短手方向の略中央に位置する。切欠き部１４及び切欠き部１５は、深さ約６．５ｃｍの溝部であり、溝部の最奥部をなす略円形１４ａ、１５ａ、の中心は組立部材Ｐの平面図における短手方向の略中央に位置する。なお、後述するように、切欠き部１４及び切欠き部１５の深さや位置は他の組立部材Ｐに嵌め込んだ際に載置面や他の組立部材Ｐに設けられた係止片とぶつからないように設けられる。
また、溝部の深さ寸法は強度を確保し、完成状態で自立可能とすることが必要である。
【００１８】
次に、本実施の形態の係止具Ｈを完成させるために、上記した組立部材Ｐを複数個、組み合わせる手法を説明する。ここでは、４個の組立部材Ｐ１〜Ｐ４を用いることを前提とする。
【００１９】
まず、係止具Ｈの脚部について説明し、次いで係止具Ｈの係止部について説明する。
【００２０】
脚部は、組立部材Ｐ１〜Ｐ３を用いて形成する（図２（ａ）参照）。
組立部材Ｐ１及び組立部材Ｐ２（下材）を載置面に対して垂直面をなすように立てて（横長状態）、それぞれ互いに平行面となるように、かつ天面側に切欠き部１１が位置するように置く。そして、組立部材Ｐ１及び組立部材Ｐ２に設けられている上向きの切欠き部１１それぞれに合わせて、組立部材Ｐ３（上材）に設けられている切欠き部１２及び切欠き部１３が嵌まるように、組立部材Ｐ３（上材）を切欠き部１２及び切欠き部１３が底面側に位置するようにしつつ載置面に対して垂直面をなすように立てて（横長状態）、組立部材Ｐ３を組立部材Ｐ１及び組立部材Ｐ２に対してそれらの略中央部分で互いに直交するように上からかぶせて架け渡す。すなわち、下材に設けられた溝部と上材に設けられた溝部が互いに嵌め込んで密着するように組み合わせる（嵌合・嵌着・係着）。組立部材Ｐ３（上材）の下端が載置面に当接するまで嵌め込むことであってよい。なお、溝部の最奥部は略円形に形成されているが、その略円形の中心が組立部材の短手方向の略中央にあるので、この略円形１１ａ、１２ａ、１３ａ部分同士が密着することがなくてもよい。
【００２１】
係止部は、上記の組立部材Ｐ１〜Ｐ３からなる脚部に対して組立部材Ｐ４を用いて形成する（図２（ａ）参照）。
載置面に対して垂直面をなすように立てられて（横長状態）いる組立部材Ｐ３に設けられている天面側の切欠き部１１に対して、組立部材Ｐ４の切欠き部１４が嵌まるように、組立部材Ｐ４に設けられている切欠き部１４が底面側に位置するように載置面に対して垂直面をなすように立てて（縦長状態）、組立部材Ｐ４を組立部材Ｐ３に嵌合するように上からかぶせて架け渡す。すなわち、組立部材Ｐ３に設けられた溝部と組立部材Ｐ４に設けられた溝部が互いに嵌め込んで密着するように組み合わせる（嵌合・嵌着・係着）。この結果、組立部材Ｐ４の頂部などに被係止体を係止させることができるようになる。組立部材Ｐ４の下端は載置面に当接する寸法に調整されていてもよい。なお、溝部の最奥部は略円形に形成されることにより、切欠き部同士をさらに安定的・固定的に嵌合させることができる。なお、組立部材Ｐ４の切欠き部１４を嵌めるのではなく、組立部材Ｐ４の切欠き部１５を嵌めることであってもよい。したがって、組立部材Ｐの切欠き部１４と切欠き部１５はいずれかのみが形成されていることであってもよい。
【００２２】
係止具Ｈの組立て完成状態の一例を図２（ａ）に示す。また、係止具Ｈの具体的な使用例として図２（ｂ）に示すように、係止部に被係止体としての帽子Ｋやコートなどを係止する。
【００２３】
係止具Ｈの組立て完成状態の他の例を図３（ａ）に示す。
図２（ａ）における例と異なる点は、係止部材としての木材などからなる丸棒２０を、係止部である組立部材Ｐ４の切欠き部１１、切欠き部１２、切欠き部１３及び天面側の切欠き部１５（天面側の切欠き部１４）のうち係止させ易いような任意の位置に挿入していることである。丸棒２０は挿入接着してあってもよい。丸棒２０は係止させ易いように高さに応じて長さ寸法が異なっていてもよい。係止具Ｈの載置面と平行な係止片としての横棒を実現し、コートなどの被係止体を容易に引っ掛けて係止させることができる。丸棒２０は、その位置・数を調整可能で利用態様に応じた形態とすることができる。なお、切欠き部の最奥部が手前側の溝部の幅よりも大きい径の略円形１１ａ〜１５ａに形成されているので、その径よりも一回り小さい径の丸棒２０を直接最奥部に嵌挿することで、切欠き部より容易に抜け外れることのない構成とすることができる。その場合、略円形１１ａ〜１５ａの中心が短手方向の略中央にあるので、外観上、一直線上に略円形が並び、スタイリッシュな美観を生ずることができる。また、丸棒状の係止部材に限らず任意の形状の係止片を切欠き部に嵌め込んで帽子Ｋやコートなどの被係止体を係止させることであってもよい。
具体的な使用例として図３（ｂ）に示すように、横棒として延びる丸棒２０に帽子Ｋやコートなどを係止してもよい。
【００２４】
係止具Ｈの組立て完成状態のさらなる他の例を図４（ａ）に示す。
図２（ａ）及び図３（ａ）における例と異なる点は、係止部である組立部材Ｐ４（縦長状態）に設けられている天面側の切欠き部１５に対して、追加の組立部材Ｐ５に設けられている底面側の切欠き部１４が嵌まるようにしつつ（縦長状態）、組立部材Ｐ５を組立部材Ｐ４に対して９０度の角度で交差して嵌合するように上から積み重ねて載せる。すなわち、組立部材Ｐ４に設けられた溝部と組立部材Ｐ５に設けられた溝部が互いに嵌め込んで密着するように組み合わせる（嵌合・嵌着・係着）。組立部材Ｐ５の下端は組立部材Ｐ４の切欠き部１４の最奥部の略円形１４ａに挿入されて横棒として延びる丸棒２０にぶつかることがない位置にある。なお、溝部の最奥部は略円形に形成されることにより、切欠き部同士をさらに安定的・固定的に嵌合させることができる。そして、組立部材Ｐ４（縦長状態）及び組立部材Ｐ５（縦長状態）が係止部を構成し、組立部材Ｐ５の頂部などに被係止体を係止させることができるようにする。なお、組立部材Ｐ５の切欠き部１４を嵌めるのではなく、組立部材Ｐ５の切欠き部１５を嵌めることであってもよい。したがって、組立部材Ｐ５の切欠き部１４と切欠き部１５はいずれかのみが形成されていることであってもよい。
同様に組立部材Ｐ６、組立部材Ｐ７、・・・、組立部材Ｐｎ（ｎは８以上の正の整数）を順に追加して、積み重ねて、係止部を上方に高く・長く形成することであってもよい。順番に上方に次々と組立部材を積み重ねていくことができる。これにより、使用空間・環境に応じた任意の高さの係止部を組立部材のみで実現することができ、利用者の便宜が図られる。
上記の図２の例と同様に、ここでも係止部材としての木材などからなる丸棒２０を、係止部である組立部材Ｐ４及び組立部材Ｐ５の切欠き部１１、切欠き部１２、切欠き部１３及び天面側の切欠き部１５（天面側の切欠き部１４）のうち係止させ易いような任意の位置に挿入してもよい。丸棒２０は挿入接着してあってもよい。丸棒２０は係止させ易いように高さに応じて長さ寸法が異なっていてもよい。特に、組立部材Ｐ５が組立部材Ｐ４に対して９０度の角度で交差するので、それぞれに嵌められる丸棒２０が外方に延びる方向も９０度の角度で異なることとなり、より係止体を係止させ易くなる。
【００２５】
上記のように構成された、本実施の形態の係止具Ｈの使用方法（分解方法を含む）の一例を以下に説明する。ここでは、ＮＣ加工などにより、所定の形状に切り出された、木製の５つの組立部材Ｐ１〜５及び木製の長さの異なる丸棒２０を４個を用いることを前提とする（図４参照）。
係止具Ｈを組み立てて利用しようとする利用者は、５つの組立部材Ｐ１〜５と、長さの異なる３個の丸棒２０を用意する。
まず、脚部を組立部材Ｐ１〜Ｐ３を用いて形成する。
載置面に対して、組立部材Ｐ１及び組立部材Ｐ２（下材）を垂直面をなすように立てて（横長状態）それぞれ平行面となるように、かつ天面側に切欠き部１１が位置するように置く。そして、組立部材Ｐ１及び組立部材Ｐ２の上向きの切欠き部１１それぞれに、組立部材Ｐ３（上材）に設けられている下向きの切欠き部１２及び切欠き部１３が嵌まるように（横長状態）、組立部材Ｐ３（上材）の下端が載置面に当接するまで嵌め込んで密着するように組み合わせる。
次に、係止部を組立部材Ｐ４〜５を用いて形成する。
組立部材Ｐ１〜Ｐ３からなる脚部のうち、組立部材Ｐ３（横長状態）に設けられている天面側の切欠き部１１に対して、組立部材Ｐ４の切欠き部１４が嵌まるように（縦長状態）、溝部の最奥部の略円形１４ａを対応する１１ａ一杯まで、かつ組立部材Ｐ４の下端が載置面に当接するような位置まで嵌め込んで密着するように組み合わせる。
さらに、組立部材Ｐ４（縦長状態）に設けられている上向きの切欠き部１５に、組立部材Ｐ５に設けられている下向きの切欠き部１４が嵌まるように（縦長状態）、組立部材Ｐ５を組立部材Ｐ４に対して９０度の角度で交差して溝部の最奥部の略円形１４ａを対応する１５ａ一杯まで嵌め込んで密着するように上から積み重ねて組み合わせる。
最後に、係止部材としての長さ寸法が異なる丸棒２０を、係止部である組立部材Ｐ４の切欠き部１２（１２ａ）及び組立部材Ｐ５の切欠き部１１（１１ａ）、切欠き部１２（１２ａ）及び天面側の切欠き部１５（１５ａ）に挿入する。組立部材Ｐ５が組立部材Ｐ４に対して９０度の角度で交差するので、それぞれに嵌められる丸棒２０が外方に延びる方向も９０度の角度で異なることとなり、より係止体を係止させ易くなる。
組み立てられて完成状態となった係止具Ｈに対して、利用者は横棒として延びる係止部材としての丸棒２０に帽子Ｋやコートなどの被係止体を係止させて利用する。
なお、修理や廃棄のために、係止具Ｈを分解・解体する必要がある場合は、上記の組み立て手順と逆に、容易に各部材を取り外すことにより、短期間にきれいに、分解等を実施することができる。
【００２６】
上記の本実施の形態の係止具Ｈによれば、共通する形状的な特徴を有する複数の部材を簡易に組み立て完成させることができる。
また、組立部材は、略長方形とすると上辺に１箇所、下辺に２箇所、左右の両辺（いずれか）に１箇所の切欠き部のみが形成されているという、形状的な特徴を有することとなる。したがって、部材の形状・構造がいたずらに複雑化することがないので部材の製作工程が煩雑となり製造コストが増加することも回避できる。
また、脚部は組立部材を少なくとも３つ用いて、１つは直交させていることにより、安定した構造となりコートや帽子などが多数・重い場合であっても容易に倒れることがない。
また、組み立て作業は切欠き部同士を嵌合させることのみにより誰でも簡易に行うことができる。さらに、組み立て前はバラバラの部材をコンパクトにまとめておくことができるので輸送や保管の便宜が図られ、かつ組み立て完成後も接着剤等で固定していない限り容易に解体可能であるので修理・廃棄の際にも便利である。
また、外観上もスタイリッシュなデザイン性の高い係止具を実現できる。各木材片は固有の木目を有しており、全体として変化に富んだ意匠的効果を奏し、美術工芸的なオブジェとして置物に応用することもできる。
また、組立部材はすべて略同一形状であるので、製造コストを格段に低下させることが
可能となる他、まとめてコンパクトに取扱うことができたり、各部材の位置関係を意識することなく、簡易に組み立てることができる。また、部材に不具合が生じた場合の取り換えも容易である。
【００２７】
[変形例]
組立部材は、板状体のみでなく、立方体に近い形状や、少なくとも一部が平面でなく曲面や湾曲部を備えることであってもよい。各組立部材の大きさ・形状はすべて同一でなく、異なっていても本実施の形態の係止具Ｈの効果を奏することができる場合があり、広くそのような組み合わせが適用可能である。
また、切欠き部の数もさらに多く任意の位置に形成されることであってもよく、それに応じて係止部となる柱状部分が複数起立することであってもよい。
また、係止具Ｈの大きさはコートなどを係止できる大型のものに限らず、積み木やブロックのような小型のものに適用されてもよい。
また、各組立部材や各係止部材は接着剤や糊、その他のネジ等により固着されてもよく、また単に嵌め合わされているのみであってもよい。
【００２８】
その他、一々例示はしないが、本発明は、その趣旨を逸脱しない範囲内において、各構成部分の大きさや位置・数・形状を含む種々の変更が加えられて実施されてよい。
【符号の説明】
【００２９】
Ｈ                係止具
Ｐ                組立部材
Ｋ                帽子
１１〜１５        切欠き部
１１ａ〜１５ａ    略円形（切欠き部の最奥部）
【図１】
2014180376.tif 000003
【図２】
2014180376.tif 000004
【図３】
2014180376.tif 000005
【図４】
2014180376.tif 000006